(57)【要約】      （修正有）【課題】喉仏、臍の緒等をそのまま収納出来、写真立て、骨壷、戒名、仏壇、墓又は、子供の臍の緒、乳歯等の成長の記録を全て一まとめに収納する事が出来、容易に焼却・火葬が出来る多機能型メモリアルボックスを提供する。【解決手段】木製の蓋１、木製の内蓋３、紙製の収納ケース４、木製の底の組み合わせからなるメモリアルボックスであって、収納ケース４を用いる事で、内蓋３と底のくぼみ部分一杯に骨、臍の緒、乳歯をこぼさずに収納出来る。【選択図】図２
0003220634.tif 000002
【実用新案登録請求の範囲】
【請求項１】
紙の収納ケースを特徴とするメモリアルボックス。
【請求項２】
請求項１記載の特徴を活かし、写真立ての蓋と収納箱で覆った縦置きできる木製の多機能型メモリアルボックス。
【請求項３】
請求項２記載の特徴である木製ゆえの蓋と本体の密着性の不安を改善する外側からかしめる木製の物（台座）を使用し、尚且つ、戒名・ネームプレートの機能を持たせた多機能型メモリアルボックス。
【請求項４】
請求項１、請求項２、請求項３の特徴を活かし、本体ごとそのまま火葬・焼却する事ができる多機能型メモリアルボックス。
【考案の詳細な説明】
【技術分野】
【０００１】  この発明は、写真立てと小物入れ（人骨、ペットの骨、臍の緒及び乳歯等）また、戒名・ネームプレートを合わせた、多機能型メモリアルボックスに関するものである。
【背景技術】
【０００２】  従来、メモリアルボックスと呼ばれる骨壷、臍の緒及び乳歯等の各々個人特有の物と写真立て（遺影写真）と戒名・ネームプレートとを全ての機能を合わせ、縦置きできるものはなかった。
あったとしても、少量または粉砕したものしか収納出来なかった。
【先行技術文献】
【特許文献】
【０００３】
【非特許文献】
【考案の概要】
【考案が解決しようとする課題】
【０００４】  これは、次のような欠点があった。
従来品だと、少量しか保存できない。粉砕の必要性があった。仏教徒の多い日本にとって喉仏を貴重と考える人々にとっては抵抗がある。
宗教観・ライフスタイルの変化に伴い手元供養・墓じまい等の新たな価値観、跡継ぎ等の問題に対応出来ない。
そこで、この発明は、喉仏、臍の緒等のそのまま収納出来、写真立て、骨壷、戒名、仏壇、墓又は、子供の臍の緒、乳歯等の成長の記録を全て一まとめに収納する事が出来き、容易に焼却・火葬が出来る多機能型メモリアルボックスを提供することを課題とする。
【課題を解決するための手段】
【０００５】  以上の課題を解決するために、第一発明は、紙の収納ケースを設けたことを特徴とするメモリアルボックスである。
第二発明は、第一発明で縦置きが可能となり、蓋を写真立てとすることを特徴とする多機能型メモリアルボックスである。
第三発明は、木製の欠点である蓋と本体の密着性を補うため、かしめる目的の台を戒名・ネームプレートとして利用する多機能型メモリアルボックスである。
第四発明は、全てのパーツを木、紙等の可燃物で製作し、焼却、火葬する事が出来る多機能型メモリアルボックスである。
【考案の効果】
【０００６】  喉仏、臍の緒等をそのまま保存出来、仏事に関しては、遺影写真、骨壷、戒名、墓、仏壇の機能を、子供の成長の記録としては写真、誕生日、体重・身長等の記録、収納箱の機能を合わせ持ち、縦置きする事ができる。
また、全て可燃物で出来ているので、容易に処分ができる。
【図面の簡単な説明】
【０００７】
【図１】この発明の一実施形態を示す斜視図である。
【図２】この発明の一実施形態を示す斜視図である。
【図３】この発明の一実施形態を示す断面図である。
【図４】この発明の一実施形態を示す斜視図である。
【図５】この発明の一実施形態を示す斜視図である。
【考案を実施するための形態】
【０００８】  以下、本発明を実施するための形態について説明する。
紙で円筒状の収納ケース（４）を作成する。
木で蓋兼写真フレーム（１）、内蓋（３）、底（５）、台（６）戒名・ネームプレート（７）を作成する。
蓋（１）、写真（２）、内蓋（３）、紙（４）、底（５）の順に組み立てる。（［図３］参照）
上記の組み立て上がったものをかしめるための台（６）に設置する。台（６）は縦置き、横置きが可能である。（［図４］、［図５］参照）
本発明は、以上のような構造である。
【符号の説明】
【０００９】１  木（蓋）
２  写真
３  木（底）
４  紙
５  木（中蓋）
６  木（戒名・名札）
７  木（台）
【図１】
0003220634.tif 000003
【図２】
0003220634.tif 000004
【図３】
0003220634.tif 000005
【図４】
0003220634.tif 000006
【図５】
0003220634.tif 000007
【手続補正書】
【提出日】平成30年8月30日(2018.8.30)
【手続補正１】
【補正対象書類名】実用新案登録請求の範囲
【補正対象項目名】全文
【補正方法】変更
【補正の内容】
【実用新案登録請求の範囲】
【請求項１】
木製の蓋（１）、木製の内蓋（３）、紙製の収納ケース（４）、木製の底（５）の組み合わせからなる。収納ケース（４）を用いる事で、内蓋（３）と底（５）のくぼみ部分一杯に内容物（骨など）をこぼさずに収納出来る事を特徴とするメモリアルボックス。
【請求項２】
請求項１記載の特徴である内容物をこぼさない収納ケース（４）を活かし、蓋（１）、写真（２）、内蓋（３）からなる写真立ての蓋と底（５）で収納ケース（４）を覆った木製で縦置き出来る事を特徴とする請求項１記載のメモリアルボックス。
【請求項３】
請求項２記載の特徴である木製で縦置きゆえの蓋と底の密着性の不安を改善する為、請求項２記載のメモリアルボックスの横幅と奥行き又は、縦幅と奥行きのサイズに合わせてコの字型に溝を掘った木材で外側からかしめる台（６）を使用し、その台（６）に戒名・ネームプレート（７）を彫刻、又は彫刻した木材をダボ留めする。そのことで、請求項２記載のメモリアルボックスを安定して密着・縦置きする事が出来、且つ、戒名・名前・生没年月日等の記録性の特徴を持たせた多機能型メモリアルボックス。
【請求項４】
請求項１〜３の特徴である木、紙製品のみの構造を活かし、本体ごとそのまま火葬・焼却する事ができる請求項１〜３のいずれか一項に記載のメモリアルボックス。
【手続補正書】
【提出日】平成30年11月7日(2018.11.7)
【手続補正１】
【補正対象書類名】実用新案登録請求の範囲
【補正対象項目名】全文
【補正方法】変更
【補正の内容】
【実用新案登録請求の範囲】
【請求項１】
木製の蓋（１）、木製の内蓋（３）、紙製の収納ケース（４）、木製の底（５）の組み合わせからなるメモリアルボックスであって、収納ケース（４）を用いる事で、内蓋（３）と底（５）のくぼみ部分一杯に骨、臍の緒、乳歯をこぼさずに収納出来る事を特徴とするメモリアルボックス。
【請求項２】
骨、臍の緒、乳歯をこぼさない前記収納ケース（４）を活かし、蓋（１）、写真（２）、内蓋（３）からなる写真立ての蓋と底（５）で収納ケース（４）を覆ったことを特徴とする、木製で縦置き出来る請求項１記載のメモリアルボックス。
【請求項３】
木製で縦置きゆえの写真立ての蓋と底（５）の密着性の不安を改善する為、請求項２に記載されたメモリアルボックスの横幅と奥行き又は、縦幅と奥行きのサイズに合わせてコの字型に溝を掘った木材からなる、外側からかしめる台（６）で、請求項２に記載されたメモリアルボックスを安定して密着・縦置きする事が出来、且つ、台（６）の（７）の場所に戒名・名前・生没年月日を彫刻する事で記録性の特徴を持たせた多機能型メモリアルボックス。
【請求項４】
木、紙製品のみで形成された構造を活かし、本体ごとそのまま火葬・焼却できることを特徴とする請求項１又は２に記載されたメモリアルボックス又は請求項３に記載された多機能型メモリアルボックス。
【手続補正２】
【補正対象書類名】図面
【補正対象項目名】図４
【補正方法】変更
【補正の内容】
【図４】
0003220634.tif 000008
【手続補正３】
【補正対象書類名】図面
【補正対象項目名】図５
【補正方法】変更
【補正の内容】
【図５】
0003220634.tif 000009
【手続補正４】
【補正対象書類名】明細書
【補正対象項目名】全文
【補正方法】変更
【補正の内容】
【考案の詳細な説明】
【技術分野】
【０００１】  この発明は、写真立てと小物入れ（人骨、ペットの骨、臍の緒及び乳歯等）また、戒名・名前・生没年月日を彫刻した台を合わせた、多機能型メモリアルボックスに関するものである。
【背景技術】
【０００２】  従来、メモリアルボックスと呼ばれる骨壷、臍の緒及び乳歯等の各々個人特有の物と写真立て（遺影写真）と戒名・名前・生没年月日を彫刻した台とを全ての機能を合わせ、縦置きできるものはなかった。
あったとしても、少量または粉砕したものしか収納出来なかった。
【先行技術文献】
【特許文献】
【０００３】
【非特許文献】
【考案の概要】
【考案が解決しようとする課題】
【０００４】  これは、次のような欠点があった。
従来品だと、少量しか保存できない。粉砕の必要性があった。仏教徒の多い日本にとって喉仏を貴重と考える人々にとっては抵抗がある。
宗教観・ライフスタイルの変化に伴い手元供養・墓じまい等の新たな価値観、跡継ぎ等の問題に対応出来ない。
そこで、この発明は、喉仏、臍の緒等のそのまま収納出来、写真立て、骨壷、戒名、仏壇、墓又は、子供の臍の緒、乳歯等の成長の記録を全て一まとめに収納する事が出来き、容易に焼却・火葬が出来る多機能型メモリアルボックスを提供することを課題とする。
【課題を解決するための手段】
【０００５】  以上の課題を解決するために、第一発明は、紙の収納ケースを設けたことを特徴とするメモリアルボックスである。
第二発明は、第一発明で縦置きが可能となり、蓋を写真立てとすることを特徴とする多機能型メモリアルボックスである。
第三発明は、木製の欠点である蓋と本体の密着性を補うため、かしめる目的の台に戒名・名前・生没年月日を彫刻して利用する多機能型メモリアルボックスである。
第四発明は、全てのパーツを木、紙等の可燃物で製作し、焼却、火葬する事が出来る多機能型メモリアルボックスである。
【考案の効果】
【０００６】  喉仏、臍の緒等をそのまま保存出来、仏事に関しては、遺影写真、骨壷、戒名、墓、仏壇の機能を、子供の成長の記録としては写真、誕生日、体重・身長等の記録、収納箱の機能を合わせ持ち、縦置きする事ができる。
また、全て可燃物で出来ているので、容易に処分ができる。
【図面の簡単な説明】
【０００７】
【図１】この発明の一実施形態を示す斜視図である。
【図２】この発明の一実施形態を示す斜視図である。
【図３】この発明の一実施形態を示す断面図である。
【図４】この発明の一実施形態を示す斜視図である。
【図５】この発明の一実施形態を示す斜視図である。
【考案を実施するための形態】
【０００８】  以下、本発明を実施するための形態について説明する。
紙で円筒状の収納ケース（４）を作成する。
木で蓋兼写真フレーム（１）、内蓋（３）、底（５）、台（６）の（７）部分に戒名・名前・生没年月日を彫刻した台（６）で作成する。
蓋（１）、写真（２）、内蓋（３）、紙（４）、底（５）の順に組み立てる。（［図３］参照）
上記の組み立て上がったものをかしめるための台（６）に設置する。台（６）は縦置き、横置きが可能である。（［図４］、［図５］参照）
本発明は、以上のような構造である。
【符号の説明】
【０００９】１  木（蓋）
２  写真
３  木（底）
４  紙
５  木（中蓋）
６  木（台）
７  戒名・名前・生没年月日を彫刻場所
【手続補正書】
【提出日】平成30年12月28日(2018.12.28)
【手続補正１】
【補正対象書類名】実用新案登録請求の範囲
【補正対象項目名】請求項３
【補正方法】変更
【補正の内容】
【請求項３】
木製で縦置きゆえの写真立ての蓋と底（５）の密着性の不安を改善する為、請求項２に記載されたメモリアルボックスの横幅と奥行き又は、縦幅と奥行きのサイズに合わせてコの字型に溝を掘った木材からなる、外側からかしめる台（６）で、請求項２に記載されたメモリアルボックスを安定して密着・縦置きする事が出来、且つ、台（６）に戒名・名前・生没年月日を彫刻する事で記録性の特徴を持たせた多機能型メモリアルボックス。
【手続補正２】
【補正対象書類名】図面
【補正対象項目名】図４
【補正方法】変更
【補正の内容】
【図４】
0003220634.tif 000010
【手続補正３】
【補正対象書類名】図面
【補正対象項目名】図５
【補正方法】変更
【補正の内容】
【図５】
0003220634.tif 000011
【手続補正４】
【補正対象書類名】明細書
【補正対象項目名】０００８
【補正方法】変更
【補正の内容】
【０００８】  以下、本発明を実施するための形態について説明する。
紙で円筒状の収納ケース（４）を作成する。
木で蓋兼写真フレーム（１）、内蓋（３）、底（５）、台（６）に戒名・名前・生没年月日を彫刻した台（６）で作成する。
蓋（１）、写真（２）、内蓋（３）、紙（４）、底（５）の順に組み立てる。（［図３］参照）
上記の組み立て上がったものをかしめるための台（６）に設置する。台（６）は縦置き、横置きが可能である。（［図４］、［図５］参照）
本発明は、以上のような構造である。
【手続補正５】
【補正対象書類名】明細書
【補正対象項目名】０００９
【補正方法】変更
【補正の内容】
【０００９】  １  木（蓋）
２  写真
３  木（底）
４  紙
５  木（中蓋）
６  木（台）